(57)【要約】【課題】Ｓ／コンポジット入力端子及びＤ／コンポーネント入力端子とを１つの入力系統として扱うアナログデータインタフェースと、外部機器からの制御を可能とするデジタルデータインタフェースとを備えたデジタルテレビジョン受像機において、アナログインタフェースを介して入力される信号の切換を、外部機器から適切に行うことができるようにする。【解決手段】Ｓ／コンポジット入力端子及びＤ／コンポーネント入力端子をともに備えるアナログインタフェースについては、いずれの端子に実際の信号入力があるかを識別する処理を実行し、その結果に基づいて外部入力端子値を設定して、ＤＳＴＢ１０４に通知する。【選択図】  図２
2004179856.tif 000002
【特許請求の範囲】
【請求項１】
デジタルデータインタフェース及びアナログデータインタフェースと、前記アナログデータインタフェースを介して接続されたデータ供給装置から供給される画像データを表示する表示部とを備えるデジタルテレビジョン受像機であって、前記アナログデータインタフェースは、コンポジット入力端子及びコンポーネント入力端子を含むデジタルテレビジョン受像機において、
前記アナログデータインタフェースを介して信号が入力されているとき、該入力信号が前記コンポジット入力端子またはコンポーネント入力端子のどちらの端子を介して入力されているかを識別する識別手段と、
前記デジタルデータインタフェースを介して接続された外部機器から入力されるコマンドに対応して、前記識別手段による識別情報を前記外部機器に通知する通知手段と、
前記外部機器から前記デジタルデータインタフェースを介して入力されるコマンドに対応して、前記データ供給装置から前記アナログデータインタフェースを介して供給される画像データを選択して前記表示部に出力する切換手段を含むことを特徴とするデジタルテレビジョン受像機。
【請求項２】
前記識別手段により、前記アナログインタフェースに接続されているデータ供給装置からの入力信号が、前記コンポジット入力端子及びコンポーネント入力端子の両方を介して入力されていると判断されたときは、前記通知手段は、コンポーネント入力端子を前記外部機器に通知することを特徴とする請求項１に記載のデジタルテレビジョン受像機。
【請求項３】
前記デジタルデータインタフェースは、ＩＥＥＥ１３９４準拠のデジタルシリアルデータインタフェースであり、前記デジタルデータインタフェースを介して入力されるコマンドは、ＡＶ／Ｃ  Ｄｉｇｉｔａｌ  Ｉｎｔｅｒｆａｃｅ  Ｃｏｍｍａｎｄ  ＳｅｔＧｅｎｅｒａｌ  Ｓｐｅｃｉｆｉｃａｔｉｏｎ  Ｖｅｒｓｉｏｎ  ４．１で規定されたコマンドであることを特徴とする請求項１に記載のデジタルテレビジョン受像機。
【請求項４】
デジタルデータインタフェース及びアナログデータインタフェースと、前記アナログデータインタフェースを介して接続されたデータ供給装置から供給される画像データを表示する表示部とを備えるデジタルテレビジョン受像機であって、前記アナログデータインタフェースは、コンポジット入力端子及びコンポーネント入力端子を含むデジタルテレビジョン受像機のデータ処理方法において、
前記アナログデータインタフェースを介して信号が入力されているとき、該入力信号が前記コンポジット入力端子またはコンポーネント入力端子のどちらの端子を介して入力されているかを識別する識別ステップと、
前記デジタルデータインタフェースを介して接続された外部機器から入力されるコマンドに対応して、前記識別ステップによる識別情報を前記外部機器に通知する通知ステップと、
前記外部機器から前記デジタルデータインタフェースを介して入力されるコマンドに対応して、前記データ供給装置から前記アナログデータインタフェースを介して供給される画像データを選択して前記表示部に出力する切換ステップと含むことを特徴とするデータ処理方法。
【請求項５】
デジタルデータインタフェース及びアナログデータインタフェースと、前記アナログデータインタフェースを介して接続されたデータ供給装置から供給される画像データを表示する表示部とを備えるデジタルテレビジョン受像機であって、前記アナログデータインタフェースは、コンポジット入力端子及びコンポーネント入力端子を含むデジタルテレビジョン受像機と、前記デジタルデータインタフェースを介して接続された外部機器との間のデータ伝送方法において、
前記外部機器は、前記デジタルデータインタフェースを介して前記デジタルテレビジョン受像機に対して、アナログデータインタフェースに関する問い合わせコマンドを送信し、
前記デジタルテレビジョン受像機は、前記アナログデータインタフェースを介して信号が入力されているとき、該入力信号が前記コンポジット入力端子またはコンポーネント入力端子のどちらの端子を介して入力されているかを識別し、該識別した識別情報を前記外部機器に通知し、
前記外部機器は、前記デジタルテレビジョン受像機から通知された識別情報に基づいて、画像データの切換コマンドを前記デジタルテレビジョン受像機に送信し、
前記デジタルテレビジョン受像機は、前記外部機器から送信された切換コマンドに対応して、前記データ供給装置から前記アナログデータインタフェースを介して供給される画像データを選択して前記表示部に出力することを特徴とするデータ伝送方法。
【発明の詳細な説明】
【０００１】
【発明の属する技術分野】
本発明は、デジタルデータインタフェースとアナログデータインタフェースを備えるデジタルテレビジョン受像機、及びそのデジタルテレビジョン受像機のデータ処理方法、並びにそのデジタルテレビジョン受像機とデジタルインタフェースを介して接続される外部機器との間のデータ伝送方法に関する。
【０００２】
【従来の技術】
パーソナルコンピュータやＡＶ機器を相互に接続するインタフェースとして、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）１３９４準拠のデジタルシリアルインタフェースが知られている。このデジタルデータインタフェースと、従来のアナログデータインタフェースを共に搭載するデジタルテレビジョン受像機、デジタル放送受信機、デジタルビデオカメラ、デジタルビデオカセットレコーダ、デジタルビデオディスクレコーダ等の普及が見込まれる。
【０００３】
ここで、ＩＥＥＥ１３９４インタフェースとアナログデータインタフェースを搭載するデジタルテレビジョン受像機を例とすると、デジタルテレビジョン受像機が搭載するアナログ入力端子の入力切換を、デジタルテレビジョン受像機にＩＥＥＥ１３９４インタフェースで接続された外部機器から制御することが可能である。
【０００４】
アナログ入力端子からの入力を切り換える方法として、特許文献１に示されるように、外部機器からデジタルテレビジョン受像機に対して、ＡＶ／Ｃ  ｄｉｇｉｔａｌ  ｉｎｔｅｒｆａｃｅ  Ｃｏｍｍａｎｄ  Ｓｅｔ  Ｇｅｎｅｒａｌ  Ｓｐｅｃｉｆｉｃａｔｉｏｎに規定されているコマンド（以下、「ＡＶ／Ｃコマンド」と略記する）を、ＩＥＥＥ１３９４インタフェースを介して送信する方法が知られている。
【０００５】
ここでＡＶ／Ｃコマンドとは、ＩＥＥＥ１３９４インタフェース上で通信されるコマンドであり、コマンドの送信、それに対応する応答は、ＩＥＥＥ１３９４の非同期ＷＲＩＴＥトランザクションに基づいて行われる。
ＡＶ／Ｃコマンドの１つであるＣＯＮＮＥＣＴコマンドを用いて、外部機器からデジタルテレビジョン受像機の入力を切り換える場合、ＣＯＮＮＥＣＴコマンドのオペランドとして、デジタルテレビジョン受像機の外部入力端子（ｅｘｔｅｒｎａｌｉｎｐｕｔ  ｐｌｕｇ）を指定することで、入力を切り換えることが可能である。
【０００６】
【特許文献１】
特開２００１−３５９００７号公報
【０００７】
【発明が解決しようとする課題】
従来のアナログテレビジョン受像機ではアナログ入力端子の数とユーザが切り換えられる入力数に違いがあった。すなわち、ユーザが切り換えられる入力をＳ／コンポジット（Ｓ／Ｃｏｍｐｏｓｉｔｅ）端子のＮＴＳＣ相当のアナログ入力と、Ｄ／コンポーネント（Ｄ／Ｃｏｍｐｏｎｅｎｔ）端子のアナログ入力とが同じ入力系統として扱われていることがある。そのようなアナログ入力端子を備えたデジタルテレビジョン受像機において、そのアナログ入力端子に対して外部入力端子値（外部入力端子を特定するための値）を割り振ると、外部入力端子の指定がユーザがインタフェースを物理的につなぐ際の接続の概念と異なり、外部機器からの入力切換を適切に行うことができない場合があった。すなわち、Ｓ／コンポジット入力端子から入力される信号あるいはＤ／コンポーネント入力端子から入力される信号のどちらを選択するかを、外部機器から制御できないという課題があった。ここで、Ｓ／コンポジット入力端子は、Ｓ端子またはコンポジット端子を意味し、Ｓ端子は、輝度信号と色信号が別々に伝送されるＮＴＳＣ方式相当の端子であり、コンポジット端子は、輝度信号と色信号が複合して伝送されるＮＴＳＣ方式相当の端子である。また、Ｄ／コンポーネント入力端子は、Ｄ端子またはコンポーネント端子を意味し、Ｄ端子は、色信号を色差信号に分けた３本の信号が１つにまとめられて伝送される、ＨＤＴＶ相当の高精細度画像信号も伝送可能にできる端子であり、コンポーネント端子は、色信号を色差信号に分けた３本の信号が伝送される、ＨＤＴＶ相当の高精細度画像信号も伝送可能にできる端子である。
【０００８】
本発明は、上述した点に着目してなされたものであり、Ｓ／コンポジット入力端子及びＤ／コンポーネント入力端子とを１つの入力系統として扱うアナログデータインタフェースと、外部機器からの制御を可能とするデジタルデータインタフェースとを備えたデジタルテレビジョン受像機であって、前記アナログインタフェースを介して入力される信号の切換を、外部機器から適切に行うことができるようにしたデジタルテレビジョン受像機、及びそのデジタルテレビジョン受像機のデータ処理方法、並びにそのデジタルテレビジョン受像機とデジタルインタフェースを介して接続される外部機器との間のデータ伝送方法を提供することを目的とする。
【０００９】
【課題を解決するための手段】
上記目的を達成するため請求項１に記載の発明は、デジタルデータインタフェース及びアナログデータインタフェースと、前記アナログデータインタフェースを介して接続されたデータ供給装置から供給される画像データを表示する表示部とを備えるデジタルテレビジョン受像機であって、前記アナログデータインタフェースは、コンポジット入力端子及びコンポーネント入力端子を含むデジタルテレビジョン受像機において、前記アナログデータインタフェースを介して信号が入力されているとき、該入力信号が前記コンポジット入力端子またはコンポーネント入力端子のどちらの端子を介して入力されているかを識別する識別手段と、前記デジタルデータインタフェースを介して接続された外部機器から入力されるコマンドに対応して、前記識別手段による識別情報を前記外部機器に通知する通知手段と、前記外部機器から前記デジタルデータインタフェースを介して入力されるコマンドに対応して、前記データ供給装置から前記アナログデータインタフェースを介して供給される画像データを選択して前記表示部に出力する切換手段を含むことを特徴とする。
【００１０】
請求項２に記載の発明は、請求項１に記載のデジタルテレビジョン受像機において、前記識別手段により、前記アナログインタフェースに接続されているデータ供給装置からの入力信号が、前記コンポジット入力端子及びコンポーネント入力端子の両方を介して入力されていると判断されたときは、前記通知手段は、コンポーネント入力端子を前記外部機器に通知することを特徴とする。
【００１１】
請求項３に記載の発明は、請求項１に記載のデジタルテレビジョン受像機において、前記デジタルデータインタフェースは、ＩＥＥＥ１３９４準拠のデジタルシリアルデータインタフェースであり、前記デジタルデータインタフェースを介して入力されるコマンドは、ＡＶ／Ｃ  Ｄｉｇｉｔａｌ  Ｉｎｔｅｒｆａｃｅ  Ｃｏｍｍａｎｄ  Ｓｅｔ  Ｇｅｎｅｒａｌ  Ｓｐｅｃｉｆｉｃａｔｉｏｎ  Ｖｅｒｓｉｏｎ  ４．１で規定されたコマンドであることを特徴とする。
【００１２】
請求項４に記載の発明は、デジタルデータインタフェース及びアナログデータインタフェースと、前記アナログデータインタフェースを介して接続されたデータ供給装置から供給される画像データを表示する表示部とを備えるデジタルテレビジョン受像機であって、前記アナログデータインタフェースは、コンポジット入力端子及びコンポーネント入力端子を含むデジタルテレビジョン受像機のデータ処理方法において、前記アナログデータインタフェースを介して信号が入力されているとき、該入力信号が前記コンポジット入力端子またはコンポーネント入力端子のどちらの端子を介して入力されているかを識別する識別ステップと、前記デジタルデータインタフェースを介して接続された外部機器から入力されるコマンドに対応して、前記識別ステップによる識別情報を前記外部機器に通知する通知ステップと、前記外部機器から前記デジタルデータインタフェースを介して入力されるコマンドに対応して、前記データ供給装置から前記アナログデータインタフェースを介して供給される画像データを選択して前記表示部に出力する切換ステップと含むことを特徴とする。
【００１３】
請求項５に記載の発明は、デジタルデータインタフェース及びアナログデータインタフェースと、前記アナログデータインタフェースを介して接続されたデータ供給装置から供給される画像データを表示する表示部とを備えるデジタルテレビジョン受像機であって、前記アナログデータインタフェースは、コンポジット入力端子及びコンポーネント入力端子を含むデジタルテレビジョン受像機と、前記デジタルデータインタフェースを介して接続された外部機器との間のデータ伝送において、前記外部機器は、前記デジタルデータインタフェースを介して前記デジタルテレビジョン受像機に対して、アナログデータインタフェースに関する問い合わせコマンドを送信し、前記デジタルテレビジョン受像機は、前記アナログデータインタフェースを介して信号が入力されているとき、該入力信号が前記コンポジット入力端子またはコンポーネント入力端子のどちらの端子を介して入力されているかを識別し、該識別した識別情報を前記外部機器に通知し、前記外部機器は、前記デジタルテレビジョン受像機から通知された識別情報に基づいて、画像データの切換コマンドを前記デジタルテレビジョン受像機に送信し、前記デジタルテレビジョン受像機は、前記外部機器から送信された切換コマンドに対応して、前記データ供給装置から前記アナログデータインタフェースを介して供給される画像データを選択して前記表示部に出力することを特徴とする。
【００１４】
【発明の実施の形態】
以下本発明の実施の形態を図面を参照して説明する。
図１は本発明の一実施形態にかかるＡＶ（オーディオ・ビデオ）システムの構成を示すブロック図である。このＡＶシステムは、入力インタフェースとしてＩＥＥＥ１３９４デジタルインタフェース（デジタルデータインタフェース）と、アナログインタフェース（アナログデータインタフェース）の両インタフェースを備えるデジタルテレビジョン受像機（以下「ＤＴＶ」という）１０１と、画像データを出力するデータ供給装置としてアナログビデオカセットレコーダ（以下「ＶＣＲ」という）１０２と、画像データの出力するデータ供給装置としてデジタルビデオカセットレコーダ（以下「ＤＶＣＲ」という）１０３と、、外部機器としてデジタルセットトップボックス（以下「ＤＳＴＢ」という）１０４とから構成されている。ＤＴＶ１０１は、ＶＣＲ１０２及びＤＶＣＲ１０３と、アナログインタフェースを介して接続されている。ＶＣＲ１０２は、ＤＴＶ１０１のアナログインタフェースに含まれるＳ／コンポジット入力端子と物理的に接続されており、ＤＶＣＲ１０３は、ＤＴＶ１０１のアナログインタフェースに含まれるＤコンポジット端子と物理的に接続されている。ＤＳＴＢ１０４は、ＩＥＥＥ１３９４デジタルインタフェースにより物理的に接続されている。
【００１５】
ＤＴＶ１０１では、Ｓ／コンポジット入力端子及びＤ／コンポーネント入力端子からの入力を同一系統として扱うインタフェースとなっており、同時に入力があった場合、Ｄ／コンポーネント入力端子の入力が優先される。
【００１６】
次に、ＤＴＶ１０１、ＶＣＲ１０２、ＤＶＣＲ１０３及びＤＳＴＢ１０４の接続に関する部分の構成例について、図２を参照して説明する。
ＤＴＶ１０１は、アナログインタフェース２０３〜２０６と、ＩＥＥＥ１３９４デジタルインタフェース２０７及び２０８と、スイッチ２０９，２１１，及び２１２と、制御部２１０及び２１３と、表示部２１４とを備えている。アナログインタフェース２０３は、Ｓ／コンポジット入力端子２０３ａ及びＤ／コンポーネント入力端子２０３ｂを備え、アナログインタフェース２０４も同様にＳ／コンポジット入力端子２０４ａ及びＤ／コンポーネント入力端子２０４ｂを備えている。アナログインタフェース２０５及び２０６は、Ｓ／コンポジット入力端子のみ備えている。
【００１７】
スイッチ２０９により、アナログインタフェース２０３のＳ／コンポジット入力端子２０３ａからの入力信号またはＤ／コンポーネント入力端子２０３ｂからの入力信号の何れか一方が選択され、スイッチ２１２に入力される。またスイッチ２１１により、アナログインタフェース２０４のＳ／コンポジット入力端子２０４ａからの入力信号またはＤ／コンポーネント入力端子２０４ｂからの入力信号の何れか一方が選択され、スイッチ２１２に入力される。制御部２１０は、スイッチ２０９及び２１１の切換制御を行う。
【００１８】
ＩＥＥＥ１３９４デジタルインタフェース２０７及び２０８には、ＩＥＥＥ１３９４に準拠したデジタル信号が入力される。このデジタル信号には、音声データ、画像データ及び制御コマンドが含まれる。画像データは、アナログ信号に変換されて、スイッチ２１２に入力される。なお音声データは、図示しない音声処理回路に入力される。また制御コマンドは、制御部２１３に入力される。制御部２１３は、ＩＥＥＥ１３９４デジタルインタフェース２０７または２０８を介して入力される制御コマンドに対する応答や、該制御コマンドまたは操作パネル（図示せず）による入力切換操作に応じてスイッチ２１２の切換制御を行う。
【００１９】
表示部２１４は、スイッチ２１２により選択された画像信号を表示する。
ＶＣＲ１０２のアナログインタフェースであるＳ／コンポジット入力端子２０１は、ＤＴＶ１０１のアナログインタフェース２０３のＳコンポーネント端子２０３ａに接続されており、ＤＶＣＲ１０３のアナログインタフェースであるＤ／コンポーネント入力端子２０２は、ＤＴＶ１０１のアナログインタフェース２０３のＤ／コンポーネント入力端子２０３ｂと接続されている。
【００２０】
またＤＳＴＢ１０４のＩＥＥＥ１３９４デジタルインタフェース２２０は、ＤＴＶ１０１のＩＥＥＥ１３９４デジタルインタフェース２０７に接続されている。本実施形態では、ＤＳＴＢ１０４が、ＩＥＥＥ１３９４デジタルインタフェースを介してＤＴＶ１０１の制御を行う外部機器に相当する。ＩＥＥＥ１３９４デジタルインタフェースを介してＤＳＴＢ１０４からＤＴＶ１０１に入力されるコマンドは、ＡＶ／Ｃ  Ｄｉｇｉｔａｌ  Ｉｎｔｅｒｆａｃｅ  Ｃｏｍｍａｎｄ  Ｓｅｔ  Ｇｅｎｅｒａｌ  Ｓｐｅｃｉｆｉｃａｔｉｏｎ  Ｖｅｒｓｉｏｎ  ４．１で規定されたコマンドとすることが望ましい。
【００２１】
ＶＣＲ１０２とＤＶＣＲ１０３からの画像信号が、アナログインタフェース２０３を介して入力されると、制御部２１０が優先する入力を判断してスイッチ２０９を操作する。
アナログインタフェース２０３〜２０６及びデジタルインタフェース２０７及び２０８を介して入力される画像信号は、制御部２１３の判断によるスイッチ２１２の切換に応じて、表示部２１４に出力される。
【００２２】
ＤＴＶ１０１のアナログインタフェースの外部入力端子（Ｅｘｔｅｒｎａｌ  Ｉｎｐｕｔ  Ｐｌｕｇ）値は、例えば図２に示すように、アナログインタフェース２０３〜２０６に対して、それぞれ「０ｘ８０」「０ｘ８１」「０ｘ８２」及び「０ｘ８３」が設定される。このように、外部入力端子値を設定することにより、ＩＥＥＥ１３９４デジタルインタフェース２０７または２０８を介して接続される外部機器から、アナログインタフェースの選択制御を行うことが可能となる。
【００２３】
ＤＴＶ１０１のアナログインタフェースのスイッチング動作は、具体的には、図４のフローチャートに示すように実行される。
ＤＴＶ１０１の制御部２１０は、ステップＳ１０１においてアナログインタフェース２０３に信号入力があるか否かを判断する。信号入力がないと判断した場合、ステップＳ１０３において当該アナログインタフェース２０３へのアナログ信号入力はなしと判断し、処理を終了する。入力があると判断した場合、ステップＳ１０２においてそのアナログインタフェース２０３への信号入力がＤ／コンポーネント入力端子２０３ｂへの入力か否かを判断する。信号入力がＤ／コンポーネント入力端子２０３ｂへの入力と判断した場合、ステップＳ１０４においてそのアナログインタフェース２０３への入力が、Ｄ／コンポーネント入力端子２０３ｂへの入力であると判定し、スイッチ２０９をＤ／コンポーネント入力端子２０３ｂ側に制御して処理を終了する。この場合、外部入力端子値として、Ｄ／コンポーネント入力端子２０３ｂに「０ｘ８０」が割り当てられる。
【００２４】
一方アナログインタフェース２０３への入力がＤ／コンポーネント入力端子２０３ｂへの入力ではないと判断した場合、ステップＳ１０５においてアナログインタフェース２０３への入力がＳ／コンポジット入力端子２０３ａへの入力であると判定し、スイッチ２０９をＳ／コンポジット入力端子２０３ａ側に制御して、処理を終了する。この場合、外部入力端子値として、Ｓ／コンポジット入力端子２０３ａに「０ｘ８０」が割り当てられる。
【００２５】
図２に示すように、アナログインタフェース２０３のＳ／コンポジット入力端子２０３ａ及びＤ／コンポーネント入力端子２０３ｂの両方に信号入力がある場合には、Ｄ／コンポーネント入力端子２０３ｂからの信号入力が優先され、Ｄ／コンポーネント入力端子２０３ｂに「０ｘ８０」が割り当てられる。
アナログインタフェース２０４に信号入力がある場合には、スイッチ２１１についても、同様の処理が実行される。
【００２６】
次に外部機器としてのＤＳＴＢ１０４により、ＩＥＥＥ１３９４デジタルインタフェースを介してＤＴＶ１０１を制御する場合の制御シーケンスを説明する。以下のデータ通信は、ＩＥＥＥ１３９４デジタルインタフェースを介して行われる。
【００２７】
１）ＤＳＴＢ１０４は、ＤＴＶ１０１に対して、アナログデータインタフェースの外部入力端子値に関する問い合わせコマンドを送信する。
２）ＤＴＶ１０１の制御部２１３は、図３に示す処理により制御部２１０が判断した信号入力端子（Ｓ／コンポジット入力端子またはＤ／コンポーネント入力端子）と、その外部入力端子値とを、ＤＳＴＢ１０４に通知する。
３）ＤＳＴＢ１０４は、ＤＴＶ１０１から通知された外部入力端子値に基づいて、画像データの切換コマンドをＤＴＶ１０１に送信する。
４）ＤＴＶ１０１は、ＤＳＴＢ１０４ら送信された切換コマンドに対応して、アナログデータインタフェースを介して供給される画像データを選択して表示部２１４に出力する。
【００２８】
以上のように本実施形態では、Ｓ／コンポジット入力端子及びＤ／コンポーネント入力端子をともに備えるアナログインタフェースについては、いずれの端子に実際の信号入力があるかを識別する処理を実行し、その結果に基づいて外部入力端子値を設定して、ＤＳＴＢ１０４に通知するようにしたので、アナログインタフェースを介して入力される画像信号の切換を、ＤＳＴＢ１０４から適切に行うことができる。
【００２９】
【発明の効果】
以上詳述したように本発明によれば、アナログデータインタフェースを介して信号が入力されているとき、該入力信号がコンポジット入力端子またはコンポーネント入力端子のどちらの端子を介して入力されているかが識別され、デジタルデータインタフェースを介して接続された外部機器から入力されるコマンドに対応して、前記識別により得られた識別情報が外部機器に通知され、外部機器からデジタルデータインタフェースを介して入力されるコマンドに対応して、データ供給装置からアナログデータインタフェースを介して供給される画像データが切り換えて表示部に出力される。したがって、同一入力系統にコンポジット入力端子及びコンポーネント入力端子を備えるアナログインタフェースを介して入力される画像信号の切換を、外部機器から適切に行うことができる。
【図面の簡単な説明】
【図１】本発明の一実施形態にかかるＡＶシステムの構成を示す図である。
【図２】デジタルテレビジョン受像機と他の機器との接続に関する部分の構成例を示すブロック図である。
【図３】デジタルテレビジョン受像機で実行される制御のフローチャートである。
【符号の説明】
１０１  デジタルテレビジョン受像機
１０２  アナログビデオカセットレコーダ（データ供給装置）
１０３  デジタルビデオカセットレコーダ（データ供給装置）
１０４  デジタルセットトップボックス（外部機器）
２０３〜２０６  アナログインタフェース（アナログデータインタフェース）
２０７，２０８  ＩＥＥＥ１３９４デジタルインターフェース（デジタルデータインタフェース）
２０３ａ，２０４ａ  Ｓ／コンポジット入力端子（コンポジット入力端子）
２０３ｂ、２０４ｂ  Ｄ／コンポーネント入力端子（コンポーネント入力端子）
２０９，２１１，２１３  スイッチ（切換手段）
２１０，２１３  制御部（識別手段、通知手段、切換手段）
【図１】
2004179856.tif 000003
【図２】
2004179856.tif 000004
【図３】
2004179856.tif 000005